(57)【特許請求の範囲】
【請求項１】
シューズ（１）のアッパー構造であって、
シューズ（１）の前足部領域（Ｆ）に配設された第１のアッパー部材（３０、３４）と、
シューズ（１）の内甲側の後足部領域（Ｒ）から前足部後部領域にかけて配設された第２のアッパー部材（３１）と、
シューズ（１）の外甲側の後足部領域（Ｒ）から前足部後部領域にかけて配設されるとともに、シューズ（１）の足甲部に形成されかつ履き口に連通する開口部を隔てて第２のアッパー部材（３１）から分離した第３のアッパー部材（３５）とを備え、
第２のアッパー部材（３１）の前端縁部（３１ａ）が、第２のアッパー部材（３１）と別個に設けられた第１のアッパー部材（３０、３４）の後端縁部（３０ａ）の上にオーバラップして配置されており、
着用者の足の蹴り出し動作にともなうアッパー屈曲時には、第２のアッパー部材（３１）の前端縁部（３１ａ）が第１のアッパー部材（３０、３４）の上を前後方向にスライドすると同時に、第１のアッパー部材（３０、３４）の後端縁部（３０ａ）が第２のアッパー部材（３１）の下を前後方向にスライドするようになっている、
ことを特徴とするシューズのアッパー構造。
【請求項２】
請求項１において、
第２のアッパー部材（３１）の前端縁部（３１ａ）における最下点（Ａ）の位置が、着用者の足の内甲側における中足趾節関節（ＭＪ）の位置に対応している、
ことを特徴とするシューズのアッパー構造。
【請求項３】
請求項２において、
前記最下点（Ａ）が、シューズサイズ長（Ｌ）に対して踵後端から（０．７４±０．０５）×Ｌの位置に配置されている、
ことを特徴とするシューズのアッパー構造。
【請求項４】
請求項１において、
第１のアッパー部材（３０、３４）および第２のアッパー部材（３１）のオーバラップ部分には、摩擦係数の低い素材が設けられている、
ことを特徴とするシューズのアッパー構造。
【請求項５】
請求項１において、
第１のアッパー部材（３０、３４）および第２のアッパー部材（３１）の前記オーバラップ部分には、一端が第１のアッパー部材（３０、３４）に連結されかつ他端が第２のアッパー部材（３１）に連結されるとともに、第１のアッパー部材（３０、３４）および第２のアッパー部材（３１）のスライド移動を許容するように袋状に配設された第１の袋布部材（４）が設けられている、
ことを特徴とするシューズのアッパー構造。
【請求項６】
請求項１において、
第２のアッパー部材（３１）の前端部には、耐摩耗材（３２）が設けられている、
ことを特徴とするシューズのアッパー構造。
【請求項７】
シューズ（１）のアッパー構造であって、
シューズ（１）の前足部領域（Ｆ）に配設された第１のアッパー部材（３０、３４）と、
シューズ（１）の内甲側の後足部領域（Ｒ）から前足部後部領域にかけて配設された第２のアッパー部材（３１）と、
シューズ（１）の外甲側の後足部領域（Ｒ）から前足部後部領域にかけて配設されるとともに、シューズ（１）の足甲部に形成されかつ履き口に連通する開口部を隔てて第２のアッパー部材（３１）から分離した第３のアッパー部材（３５）とを備え、
第３のアッパー部材（３５）の前端縁部（３５ａ）が、第３のアッパー部材（３５）と別個に設けられた第１のアッパー部材（３０、３４）の後端縁部の上にオーバラップして配置されており、
着用者の足の蹴り出し動作にともなうアッパー屈曲時には、第３のアッパー部材（３５）の前端縁部（３５ａ）が第１のアッパー部材（３０、３４）の上を前後方向にスライドすると同時に、第１のアッパー部材（３０、３４）の前記後端縁部が第３のアッパー部材（３５）の下を前後方向にスライドするようになっている、
ことを特徴とするシューズのアッパー構造。
【請求項８】
請求項７において、
第３のアッパー部材（３５）の前端縁部（３５ａ）における最下点（Ｂ）の位置が、着用者の足の外甲側における中足趾節関節（ＭＪ）の位置に対応している、
ことを特徴とするシューズのアッパー構造。
【請求項９】
請求項８において、
前記最下点（Ｂ）が、シューズサイズ長（Ｌ）に対して踵後端から（０．６４±０．０５）×Ｌの位置に配置されている、
ことを特徴とするシューズのアッパー構造。
【請求項１０】
請求項７において、
第１のアッパー部材（３０、３４）および第３のアッパー部材（３５）のオーバラップ部分には、摩擦係数の低い素材が設けられている、
ことを特徴とするシューズのアッパー構造。
【請求項１１】
請求項７において、
第１のアッパー部材（３０、３４）および第３のアッパー部材（３５）の前記オーバラップ部分には、一端が第１のアッパー部材（３０、３４）に連結されかつ他端が第３のアッパー部材（３５）に連結されるとともに、第１のアッパー部材（３０、３４）および第３のアッパー部材（３５）のスライド移動を許容するように袋状に配設された第２の袋布部材が設けられている、
ことを特徴とするシューズのアッパー構造。
【請求項１２】
シューズ（１）のアッパー構造であって、
シューズ（１）の前足部領域（Ｆ）に配設された第１のアッパー部材（３０、３４）と、
シューズ（１）の内甲側の後足部領域（Ｒ）から前足部後部領域にかけて配設された第２のアッパー部材（３１）と、
シューズ（１）の外甲側の後足部領域（Ｒ）から前足部後部領域にかけて配設されるとともに、シューズ（１）の足甲部に形成されかつ履き口に連通する開口部を隔てて第２のアッパー部材（３１）から分離した第３のアッパー部材（３５）とを備え、
第２のアッパー部材（３１）の前端縁部（３１ａ）が、第２のアッパー部材（３１）と別個に設けられた第１のアッパー部材（３０、３４）の後端縁部（３０ａ）の上にオーバラップして配置されるとともに、第３のアッパー部材（３５）の前端縁部（３５ａ）が、第３のアッパー部材（３５）と別個に設けられた第１のアッパー部材（３０、３４）の後端縁部の上にオーバラップして配置されており、
着用者の足の蹴り出し動作にともなうアッパー屈曲時には、第２のアッパー部材（３１）の前端縁部（３１ａ）が第１のアッパー部材（３０、３４）の上を前後方向にスライドし、第１のアッパー部材（３０、３４）の後端縁部（３０ａ）が第２のアッパー部材（３１）の下を前後方向にスライドするとともに、
第３のアッパー部材（３５）の前端縁部（３５ａ）が第１のアッパー部材（３０、３４）の上を前後方向にスライドし、第１のアッパー部材（３０、３４）の後端縁部（３０ａ）が第３のアッパー部材（３５）の下を前後方向にスライドするようになっている、
ことを特徴とするシューズのアッパー構造。
【請求項１３】
請求項１２において、
第２のアッパー部材（３１）の前端縁部（３１ａ）における最下点（Ａ）の位置が、着用者の足の内甲側における中足趾節関節（ＭＪ）の位置に対応するとともに、第３のアッパー部材（３５）の前端縁部（３５ａ）における最下点（Ｂ）の位置が、着用者の足の外甲側における中足趾節関節（ＭＪ）の位置に対応している、
ことを特徴とするシューズのアッパー構造。
【請求項１４】
請求項１３において、
第２のアッパー部材（３１）の前端縁部（３１ａ）の前記最下点（Ａ）が、シューズサイズ長（Ｌ）に対して踵後端から（０．７４±０．０５）×Ｌの位置に配置されるとともに、第３のアッパー部材（３５）の前端縁部（３５ａ）の前記最下点（Ｂ）が、シューズサイズ長（Ｌ）に対して踵後端から（０．６４±０．０５）×Ｌの位置に配置されている、
ことを特徴とするシューズのアッパー構造。
【請求項１５】
請求項１２において、
第１のアッパー部材（３０、３４）および第２のアッパー部材（３１）のオーバラップ部分、ならびに第１のアッパー部材（３０、３４）および第３のアッパー部材（３５）のオーバラップ部分には、摩擦係数の低い素材が設けられている、
ことを特徴とするシューズのアッパー構造。
【請求項１６】
請求項１２において、
第１のアッパー部材（３０、３４）および第２のアッパー部材（３１）の前記オーバラップ部分には、一端が第１のアッパー部材（３０、３４）に連結されかつ他端が第２のアッパー部材（３１）に連結されるとともに、第１のアッパー部材（３０、３４）および第２のアッパー部材（３１）のスライド移動を許容するように袋状に配設された第１の袋布部材（４）が設けられ、さらに、第１のアッパー部材（３０、３４）および第３のアッパー部材（３５）の前記オーバラップ部分には、一端が第１のアッパー部材（３０、３４）に連結されかつ他端が第３のアッパー部材（３５）に連結されるとともに、第１のアッパー部材（３０、３４）および第３のアッパー部材（３５）のスライド移動を許容するように袋状に配設された第２の袋布部材が設けられている、
ことを特徴とするシューズのアッパー構造。
【請求項１７】
請求項１２において、
第２のアッパー部材（３１）の前端部には、耐摩耗材が設けられている、
ことを特徴とするシューズのアッパー構造。
【請求項１８】
シューズ（１）のアッパー構造であって、
シューズ（１）の前足部領域（Ｆ）に配設された第１のアッパー部材（３０、３４）と、
シューズ（１）の内甲側の後足部領域（Ｒ）から前足部後部領域にかけて配設された第２のアッパー部材（３１）と、
シューズ（１）の外甲側の後足部領域（Ｒ）から前足部後部領域にかけて配設されるとともに、シューズ（１）の足甲部に形成されかつ履き口に連通する開口部を隔てて第２のアッパー部材（３１）から分離した第３のアッパー部材（３５）とを備え、
第２のアッパー部材（３１）の前端縁部（３１ａ）が、第２のアッパー部材（３１）と別個に設けられた第１のアッパー部材（３０、３４）の後端縁部（３０ａ）の上にオーバラップして配置されるとともに、第３のアッパー部材（３５）が第１のアッパー部材（３０、３４）と一体に設けられており、
着用者の足の蹴り出し動作にともなうアッパー屈曲時には、第２のアッパー部材（３１）の前端縁部（３１ａ）が第１のアッパー部材（３０、３４）の上を前後方向にスライドすると同時に、第１のアッパー部材（３０、３４）の後端縁部（３０ａ）が第２のアッパー部材（３１）の下を前後方向にスライドするようになっている、
ことを特徴とするシューズのアッパー構造。
【発明の詳細な説明】
【技術分野】
【０００１】
本発明は、シューズのアッパー構造に関し、詳細には、アッパーの屈曲性を向上させるための構造の改良に関する。
【背景技術】
【０００２】
一般に、シューズは、ソールと、その上に固着されたアッパー（甲被）とを備えている。アッパーは、典型的には、着用者の足の爪先部、両側面部および踵部を含む足外周部を覆う一体形成型のアッパー本体と、アッパー本体の足甲部分に形成された前後方向の開口に配置された舌革部とを有している。また、アッパー本体を複数の部材から構成したものも種々提案されている。
【０００３】
たとえば、特表昭６１−５０１６１２号公報に記載されたアッパーは、舌片（１６）と一体形成された前方つま先部分（１４）と、側方部分（２０）と、下方つま革区分（３０）と、上方つま革区分（３２）等とから構成されている。また、特開平２−２７７４０５号公報に記載されたアッパーは、上側爪革部分（２２）と、下側爪革区分（１８）と、対向爪革部分（２０）、（２４）と、踵区分（２６）と、爪先区分（２７）とから構成されており、当該公報には、上側爪革部分（２２）と下側爪革区分（１８）を互いに分離する点が記載されている。
【０００４】
さらに、国際公開第２００４/０９３５８７号パンフレットに記載されたアッパーは、シューズの前方に配置され、足の爪先部を覆う前部（３）と、前部（３）から分離されてシューズの後方に配置され、足の後足部を覆う後部（４）と、前部（３）および後部（４）間に設けられた伸縮領域（５０）、（５１）とをから構成されている。内甲側の伸縮領域（５１）は、足の内側のリスフラン関節の一部およびその近傍部位を覆っており、外甲側の伸縮領域（５０）は、第５中足骨遠位骨頭およびその近傍部位を覆っている。
【０００５】
上記パンフレットに記載のアッパーは、走行の際の足の屈曲時に伸縮領域（５０）、（５１）を境にして前部（３）および後部（４）のそれぞれの挙動が大きく異なる点に着目し、前部（３）および後部（４）間の挙動（つまり変形）の違いを伸縮領域（５０）、（５１）で吸収することによって、アッパーのフィット性を改良しようとしている。
【発明の概要】
【発明が解決しようとする課題】
【０００６】
しかしながら、上記各公報およびパンフレットのいずれにも、着用者の足の蹴り出し動作にともなうアッパー屈曲時にアッパーの屈曲性を向上させる観点からの記載はなく、アッパーの屈曲性を向上させるようにアッパーを分割または分離する点は記載も示唆もされていない。
【０００７】
本発明は、このような従来の実情に鑑みてなされたもので、本発明が解決しようとする課題は、着用者の足の蹴り出し動作にともなうアッパー屈曲時にアッパーの屈曲性を向上できるシューズ用アッパー構造を提供することにある。
【課題を解決するための手段】
【０００８】
請求項１の発明に係るシューズのアッパー構造は、シューズの前足部領域に配設された第１のアッパー部材と、シューズの内甲側の後足部領域から前足部後部領域にかけて配設された第２のアッパー部材と、シューズの外甲側の後足部領域から前足部後部領域にかけて配設されるとともに、シューズの足甲部に形成されかつ履き口に連通する開口部を隔てて第２のアッパー部材から分離した第３のアッパー部材とを備え、第２のアッパー部材の前端縁部が、第２のアッパー部材と別個に設けられた第１のアッパー部材の後端縁部の上にオーバラップして配置されている。
【０００９】
請求項１の発明によれば、足の蹴り出し動作にともなうアッパーの屈曲時には、シューズの内甲側の第２のアッパー部材の前端縁部が、シューズの前足部領域の第１のアッパー部材の上を（つまり表面に沿って）スライドすると同時に、第１のアッパー部材の後端縁部が第２のアッパー部材の下を（つまり裏面に沿って）スライドする。
【００１０】
これにより、足の蹴り出し動作時にアッパー内甲側の屈曲部分に生じるアッパーの皺や弛みを両アッパー部材のスライド移動によって吸収でき、その結果、アッパーの屈曲をスムーズに行うことができ、アッパーの屈曲性を向上できる。
【００１１】
なお、上述した特表昭６１−５０１６１２号公報に記載のアッパーでは、下方つま革区分（３０）の上に上方つま革区分（３２）が配設されているが、ＦＩＧ．１〜３には、下方つま革区分（３０）の後端縁部の位置が明確に記載されておらず、上方つま革区分（３２）とのオーバラップの仕方も不明瞭である。たとえば、下方つま革区分（３０）がアッパーの足甲上部まで延設されている場合には、従来の一体形成型のアッパーと同様の屈曲性を有するだけである。また、上記公報では、ＦＩＧ．１〜３に明確に示されているように、上方つま革区分（３２）の前端縁部がシューズの中足部に配置されているため、当該前端縁部の位置は、足の蹴り出し動作にともなうアッパーの屈曲変形の吸収に対して実質的な影響はほとんどないといえる。
【００１２】
また、特開平２−２７７４０５号公報に記載のアッパーは、上側爪革区分（２２）と下側爪革部分（１８）とを分離したことにより、各区分を通る靴紐によって、各区分を他の区分から独立して調整できるようにしてアッパーのフィット性の向上を図ったものであり、足の蹴り出し動作にともなうアッパーの屈曲変形を吸収できるようにアッパーの各部材を分割したものではない。
【００１３】
さらに、上述した国際公開第２００４/０９３５８７号パンフレットに記載のアッパーでは、伸縮領域（５１）の伸縮によってアッパー内甲側の屈曲性をある程度上げることは可能であるが、当該パンフレットに記載の伸縮領域（５１）の上端は、アッパーの前部（３）および後部（４）が互いに接近して配置されているために、その前後方向長さが短く、収縮量（したがって屈曲性）にも限界がある。その一方、伸縮領域（５１）を大きくしようとすると、着用者の足を保護するというアッパー本来の機能を果たし得なくなるため、伸縮領域（５１）の前後方向長さをあまり長くすることはできない。したがって、上記パンフレットに記載のアッパー構造では、アッパーの収縮量（したがって屈曲性）に限界がある。
【００１４】
これに対して、本願の請求項１の発明では、シューズの前足部領域の側の第１のアッパー部材と、後足部領域の側の第２のアッパー部材とが相互にスライドし得るように互いにオーバラップして設けられているため、足の蹴り出し動作にともなうアッパーの屈曲時に、アッパー内甲側の屈曲部分に生じる皺や弛みを両アッパー部材のスライド移動によって確実に吸収でき、これにより、アッパーの屈曲性を向上できる。
【００１５】
請求項２の発明では、請求項１において、第２のアッパー部材の前端縁部における最下点の位置が、着用者の足の内甲側における中足趾節関節の位置に対応している。
【００１６】
この場合、足の蹴り出し動作の際の足の屈曲時には、足が中足趾節関節で屈曲することになるため、第２のアッパー部材の前端縁部の最下点を足の内甲側の中足趾節関節位置に配置することで、足の屈曲に応じてアッパーがスムーズに屈曲できるようになり、これにより、アッパーの屈曲性を効果的に向上できる。
【００１７】
なお、上記パンフレットに記載のアッパーでは、内甲側の伸縮領域（５１）は、足の内側のリスフラン関節の一部およびその近傍部位を覆っており、これは、中足趾節関節の後方の領域である。
【００１８】
請求項３の発明では、請求項２において、第２のアッパー部材の前端縁部における最下点が、シューズサイズ長Ｌに対して踵後端から（０．７４±０．０５）×Ｌの位置に配置されている。
【００１９】
この場合、当該最下点の位置は、足の内甲側における中足趾節関節の位置に対応している。
【００２０】
請求項４の発明では、請求項１において、第１および第２のアッパー部材のオーバラップ部分に、摩擦係数の低い素材が設けられている。
【００２１】
この場合には、足の蹴り出し動作にともなうアッパーの屈曲時に、第１および第２のアッパー部材の相互のスライド移動をよりスムーズに行えるようになって、アッパーの屈曲性をさらに向上できる。なお、摩擦係数の低い素材としては、たとえばポリエステルやナイロン等の合成繊維またはフィルムが挙げられる。
【００２２】
請求項５の発明では、請求項１において、第１および第２のアッパー部材のオーバラップ部分には、一端が第１のアッパー部材に連結されかつ他端が第２のアッパー部材に連結されるとともに、第１および第２のアッパー部材のスライド移動を許容するように袋状に配設された第１の袋布部材が設けられている。
【００２３】
この場合には、足の蹴り出し動作にともなうアッパーの屈曲時において、第２のアッパー部材の前端縁部が第１のアッパー部材の上をスライドするとともに、第１のアッパー部材の後端縁部が第２のアッパー部材の下をスライドするとき、第１の袋布部材の両端がそれぞれ第１、第２のアッパー部材に連結されていることにより、第１、第２のアッパー部材のオーバラップ部分における第１、第２のアッパー部材間の間隙が第１の袋布部材により遮蔽されているので、競技中に砂や小石等の異物が第１、第２のアッパー部材間の間隙を通ってシューズ内部に侵入するのをこの第１の袋布部材により防止できる。
【００２４】
また、第１の袋布部材が第１、第２のアッパー部材間で袋状に配設されており、第１の袋布部材に弛みが設けられているので、アッパーの屈曲動作の際には、第１の袋布部材が第１、第２のアッパー部材の動きに追随し、これにより、第１、第２のアッパー部材のスライド移動を第１の袋布部材が阻害することはなく、アッパーの屈曲性を維持できる。
【００２５】
請求項６の発明では、第２のアッパー部材の前端部に耐摩耗材が設けられている。
【００２６】
この場合には、たとえばテニスシューズやバドミントンシューズなどのように、競技中にアッパー内甲側表面がコート面と接触して摩耗するシューズにおいて、アッパー内甲側の耐摩耗性および屈曲性の双方を両立できる。一般に、耐摩耗材は硬い素材で構成されており、また耐摩耗材をアッパー表面に貼着することで当該アッパー部位の厚みが増すため、従来のアッパー一体型のシューズにおいて、アッパーに耐摩耗材を設けた場合には、アッパーの屈曲性が阻害されていた。これに対して、本願の請求項５の発明では、アッパーの屈曲性は、第２のアッパー部材が第１のアッパー部材の上をスライド移動することにより実現されるので、第２のアッパー部材に耐摩耗材を設けることで、アッパーの屈曲性が阻害されることはない。
【００２７】
請求項７の発明に係るシューズのアッパー構造は、シューズの前足部領域に配設された第１のアッパー部材と、シューズの内甲側の後足部領域から前足部後部領域にかけて配設された第２のアッパー部材と、シューズの外甲側の後足部領域から前足部後部領域にかけて配設されるとともに、シューズの足甲部に形成されかつ履き口に連通する開口部を隔てて第２のアッパー部材から分離した第３のアッパー部材とを備え、第３のアッパー部材の前端縁部が、第３のアッパー部材と別個に設けられた第１のアッパー部材の後端縁部の上にオーバラップして配置されている。
【００２８】
請求項７の発明によれば、足の蹴り出し動作にともなうアッパーの屈曲時には、シューズの外甲側の第３のアッパー部材の前端縁部が、シューズの前足部領域の第１のアッパー部材の上を（つまり表面に沿って）スライドすると同時に、第１のアッパー部材の後端縁部が第３のアッパー部材の下を（つまり裏面に沿って）スライドする。
【００２９】
これにより、足の蹴り出し動作時にアッパー外甲側の屈曲部分に生じるアッパーの皺や弛みを両アッパー部材のスライド移動によって吸収でき、その結果、アッパーの屈曲をスムーズに行うことができ、アッパーの屈曲性を向上できる。
【００３０】
なお、上述した国際公開第２００４/０９３５８７号パンフレットに記載のアッパーでは、伸縮領域（５０）の伸縮によってアッパー外甲側の屈曲性をある程度上げることは可能であるが、当該パンフレットに記載の伸縮領域（５０）の上端は、アッパーの前部（３）および後部（４）が互いに接近して配置されているために、その前後方向長さが短く、収縮量（したがって屈曲性）にも限界がある。その一方、伸縮領域（５０）を大きくしようとすると、着用者の足を保護するというアッパー本来の機能を果たし得なくなるため、伸縮領域（５０）の前後方向長さをあまり長くすることはできない。したがって、上記パンフレットに記載のアッパー構造では、アッパーの収縮量（したがって屈曲性）に限界がある。
【００３１】
これに対して、本願の請求項７の発明では、シューズの前足部領域の側の第１のアッパー部材と、外甲側の第３のアッパー部材とが相互にスライドし得るように互いにオーバラップして設けられているため、足の蹴り出し動作にともなうアッパーの屈曲時に、アッパー外甲側の屈曲部分に生じる皺や弛みを両アッパー部材のスライド移動によって確実に吸収でき、これにより、アッパーの屈曲性を向上できる。
【００３２】
請求項８の発明では、請求項７において、第３のアッパー部材の前端縁部における最下点の位置が、着用者の足の外甲側における中足趾節関節の位置に対応している。
【００３３】
この場合、足の蹴り出し動作の際の足の屈曲時には、足が中足趾節関節で屈曲することになるため、第３のアッパー部材の前端縁部の最下点を足の外甲側の中足趾節関節位置に配置することで、足の屈曲に応じてアッパーがスムーズに屈曲できるようになり、これにより、アッパーの屈曲性を効果的に向上できる。
【００３４】
なお、上記パンフレットに記載のアッパーでは、外甲側の伸縮領域（５０）は、第５中足骨遠位骨頭およびその近傍部位を覆っており、これは、中足趾節関節を含む領域であるが、上述したように、上記パンフレットに記載のアッパーでは、アッパーの前部（３）および後部（４）が互いにオーバラップして設けられてはいない。
【００３５】
請求項９の発明では、請求項８において、第４のアッパー部材の前端縁部における最下点が、シューズサイズ長Ｌに対して踵後端から（０．６４±０．０５）×Ｌの位置に配置されている。
【００３６】
この場合、当該最下点の位置は、足の外甲側における中足趾節関節の位置に対応している。
【００３７】
請求項１０の発明では、請求項７において、第１および第３のアッパー部材のオーバラップ部分に、摩擦係数の低い素材が設けられている。
【００３８】
この場合には、足の蹴り出し動作にともなうアッパーの屈曲時に、第１および第３のアッパー部材の相互のスライド移動をよりスムーズに行えるようになって、アッパーの屈曲性をさらに向上できる。
【００３９】
請求項１１の発明では、請求項７において、第１および第３のアッパー部材のオーバラップ部分には、一端が第１のアッパー部材に連結されかつ他端が第３のアッパー部材に連結されるとともに、第１および第３のアッパー部材のスライド移動を許容するように袋状に配設された第２の袋布部材が設けられている。
【００４０】
この場合には、足の蹴り出し動作にともなうアッパーの屈曲時において、第３のアッパー部材の前端縁部が第１のアッパー部材の上をスライドするとともに、第１のアッパー部材の後端縁部が第３のアッパー部材の下をスライドするとき、第２の袋布部材の両端がそれぞれ第１、第３のアッパー部材に連結されていることにより、第１、第３のアッパー部材のオーバラップ部分における第１、第３のアッパー部材間の間隙が第２の袋布部材により遮蔽されているので、競技中に砂や小石等の異物が第１、第３のアッパー部材間の間隙を通ってシューズ内部に侵入するのをこの第２の袋布部材により防止できる。
【００４１】
また、第２の袋布部材が第１、第３のアッパー部材間で袋状に配設されており、第２の袋布部材に弛みが設けられているので、アッパーの屈曲動作の際には、第２の袋布部材が第１、第３のアッパー部材の動きに追随し、これにより、第１、第３のアッパー部材のスライド移動を第２の袋布部材が阻害することはなく、アッパーの屈曲性を維持できる。
【００４２】
請求項の１２の発明に係るシューズのアッパー構造は、シューズの前足部領域に配設された第１のアッパー部材と、シューズの内甲側の後足部領域から前足部後部領域にかけて配設された第２のアッパー部材と、シューズの外甲側の後足部領域から前足部後部領域にかけて配設されるとともに、シューズの足甲部に形成されかつ履き口に連通する開口部を隔てて第２のアッパー部材から分離した第３のアッパー部材とを備えている。第２のアッパー部材の前端縁部が、第２のアッパー部材と別個に設けられた第１のアッパー部材の後端縁部の上にオーバラップして配置されるとともに、第３のアッパー部材の前端縁部が、第３のアッパー部材と別個に設けられた第１のアッパー部材の後端縁部の上にオーバラップして配置されている。
【００４３】
請求項１２の発明によれば、足の蹴り出し動作にともなうアッパーの屈曲時には、シューズの内甲側の第２のアッパー部材の前端縁部が、シューズの前足部領域の第１のアッパー部材の上を（つまり表面に沿って）スライドすると同時に、第１のアッパー部材の後端縁部が第２のアッパー部材の下を（つまり裏面に沿って）スライドし、さらに、シューズの外甲側の第３のアッパー部材の前端縁部が、シューズの前足部領域の第１のアッパー部材の上を（つまり表面に沿って）スライドすると同時に、第１のアッパー部材の後端縁部が第３のアッパー部材の下を（つまり裏面に沿って）スライドする。
【００４４】
これにより、足の蹴り出し動作時にアッパー内甲側の屈曲部分に生じるアッパーの皺や弛みを第１、第２のアッパー部材のスライド移動によって吸収できるとともに、アッパー外甲側の屈曲部分に生じるアッパーの皺や弛みを第１、第３のアッパー部材のスライド移動によって吸収できる。その結果、アッパーの屈曲をよりスムーズに行うことができ、アッパーの屈曲性を一層向上できる。
【００４５】
請求項１３の発明では、請求項１２において、第２のアッパー部材の前端縁部における最下点の位置が、着用者の足の内甲側における中足趾節関節の位置に対応するとともに、第３のアッパー部材の前端縁部における最下点の位置が、着用者の足の外甲側における中足趾節関節の位置に対応している。
【００４６】
この場合、足の蹴り出し動作の際の足の屈曲時には、足が中足趾節関節で屈曲することになるため、第２のアッパー部材の前端縁部の最下点を足の内甲側の中足趾節関節位置に配置するとともに、第３のアッパー部材の前端縁部の最下点を足の外甲側の中足趾節関節位置に配置することで、足の屈曲に応じてアッパーがよりスムーズに屈曲できるようになり、これにより、アッパーの屈曲性を一層効果的に向上できる。
【００４７】
請求項１４の発明では、請求項１３において、第２のアッパー部材の前端縁部における最下点が、シューズサイズ長Ｌに対して踵後端から（０．７４±０．０５）×Ｌの位置に配置されるとともに、第３のアッパー部材の前端縁部における最下点が、シューズサイズ長Ｌに対して踵後端から（０．６４±０．０５）×Ｌの位置に配置されている。
【００４８】
この場合、第２のアッパー部材の最下点の位置は、足の内甲側における中足趾節関節の位置に対応しており、第３のアッパー部材の最下点の位置は、足の外甲側における中足趾節関節の位置に対応している。
【００４９】
請求項１５の発明では、請求項１２において、第１および第２のアッパー部材のオーバラップ部分、ならびに第１および第３のアッパー部材のオーバラップ部分に、摩擦係数の低い素材が設けられている。
【００５０】
この場合には、足の蹴り出し動作にともなうアッパーの屈曲時に、第１および第２のアッパー部材の相互のスライド移動、ならびに第１および第３のアッパー部材の相互のスライド移動をよりスムーズに行えるようになって、アッパーの屈曲性をさらに向上できる。
【００５１】
請求項１６の発明では、請求項１２において、第１および第２のアッパー部材のオーバラップ部分には、一端が第１のアッパー部材に連結されかつ他端が第２のアッパー部材に連結されるとともに、第１および第２のアッパー部材のスライド移動を許容するように袋状に配設された第１の袋布部材が設けられ、さらに、第１および第３のアッパー部材のオーバラップ部分には、一端が第１のアッパー部材に連結されかつ他端が第３のアッパー部材に連結されるとともに、第１および第３のアッパー部材のスライド移動を許容するように袋状に配設された第２の袋布部材が設けられている。
【００５２】
この場合には、足の蹴り出し動作にともなうアッパーの屈曲時において、第２のアッパー部材の前端縁部が第１のアッパー部材の上をスライドするとともに、第１のアッパー部材の後端縁部が第２のアッパー部材の下をスライドするとき、第１の袋布部材の両端がそれぞれ第１、第２のアッパー部材に連結されていることにより、第１、第２のアッパー部材のオーバラップ部分における第１、第２のアッパー部材間の間隙が第１の袋布部材により遮蔽されているので、競技中に砂や小石等の異物が第１、第２のアッパー部材間の間隙を通ってシューズ内部に侵入するのをこの第１の袋布部材により防止できる。
【００５３】
また、第１の袋布部材が第１、第２のアッパー部材間で袋状に配設されており、第１の袋布部材に弛みが設けられているので、アッパーの屈曲動作の際には、第１の袋布部材が第１、第２のアッパー部材の動きに追随し、これにより、第１、第２のアッパー部材のスライド移動を第１の袋布部材が阻害することはなく、アッパーの屈曲性を維持できる。
【００５４】
さらに、この場合には、足の蹴り出し動作にともなうアッパーの屈曲時において、第３のアッパー部材の前端縁部が第１のアッパー部材の上をスライドするとともに、第１のアッパー部材の後端縁部が第３のアッパー部材の下をスライドするとき、第２の袋布部材の両端がそれぞれ第１、第３のアッパー部材に連結されていることにより、第１、第３のアッパー部材のオーバラップ部分における第１、第３のアッパー部材間の間隙が第２の袋布部材により遮蔽されているので、競技中に砂や小石等の異物が第１、第３のアッパー部材間の間隙を通ってシューズ内部に侵入するのをこの第２の袋布部材により防止できる。
【００５５】
また、第２の袋布部材が第１、第３のアッパー部材間で袋状に配設されており、第２の袋布部材に弛みが設けられているので、アッパーの屈曲動作の際には、第２の袋布部材が第１、第３のアッパー部材の動きに追随し、これにより、第１、第３のアッパー部材のスライド移動を第２の袋布部材が阻害することはなく、アッパーの屈曲性を維持できる。
【００５６】
請求項１７の発明では、請求項１２において、第２のアッパー部材の前端部に耐摩耗材が設けられている。
【００５７】
この場合には、たとえばテニスシューズやバドミントンシューズなどのように、競技中にアッパーの内甲側表面がコート面と接触して摩耗するシューズにおいて、アッパー内甲側の耐摩耗性および屈曲性の双方を両立できる。また、この場合、第２のアッパー部材が第１のアッパー部材の上をスライド移動するとともに、第３のアッパー部材が第１のアッパー部材の上をスライド移動することによりアッパーの屈曲性が実現されているので、第２のアッパー部材に耐摩耗材を設けることで、アッパーの屈曲性が阻害されることはない。
【００５８】
請求項１８の発明に係るシューズのアッパー構造は、シューズの前足部領域に配設された第１のアッパー部材と、シューズの内甲側の後足部領域から前足部後部領域にかけて配設された第２のアッパー部材と、シューズの外甲側の後足部領域から前足部後部領域にかけて配設されるとともに、シューズの足甲部に形成されかつ履き口に連通する開口部を隔てて第２のアッパー部材から分離した第３のアッパー部材とを備えている。第２のアッパー部材の前端縁部が、第２のアッパー部材と別個に設けられた第１のアッパー部材の後端縁部の上にオーバラップして配置されるとともに、第３のアッパー部材が第１のアッパー部材と一体に設けられている。
【００５９】
請求項１８の発明によれば、足の蹴り出し動作にともなうアッパー屈曲時には、第２のアッパー部材の前端縁部が第１のアッパー部材の上を（つまり表面に沿って）前後方向にスライドすると同時に、第１のアッパー部材の後端縁部が第２のアッパー部材の下を（つまり裏面に沿って）前後方向にスライドする。
【００６０】
これにより、足の蹴り出し動作時にアッパー内甲側の屈曲部分に生じるアッパーの皺や弛みを両アッパー部材のスライド移動によって吸収でき、その結果、アッパーの屈曲をスムーズに行うことができ、アッパーの屈曲性を向上できる。
【発明の効果】
【００６１】
以上のように、本発明の第１の発明に係るシューズ用アッパー構造によれば、シューズの前足部領域および内甲側領域にそれぞれ第１、第２のアッパー部材を配設し、シューズの外甲側領域に、足甲部の開口部を介して第２のアッパー部材から分離するように第３のアッパー部材を配設し、第２のアッパー部材の前端縁部を、第２のアッパー部材と別個に設けられた第１のアッパー部材の後端縁部の上にオーバラップさせるとともに、足の蹴り出し動作にともなうアッパーの屈曲時に、第２のアッパー部材の前端縁部を第１のアッパー部材の上でスライドさせると同時に、第１のアッパー部材の後端縁部を第２のアッパー部材の下でスライドさせるようにしたので、足の蹴り出し動作時にアッパー内甲側の屈曲部分に生じるアッパーの皺や弛みを両アッパー部材のスライド移動によって吸収でき、これにより、アッパーの屈曲をスムーズに行うことができ、アッパーの屈曲性を向上できる効果がある。
【００６２】
本発明の第２の発明に係るシューズ用アッパー構造によれば、シューズの前足部領域および内甲側領域にそれぞれ第１、第２のアッパー部材を配設し、シューズの外甲側領域に、足甲部の開口部を介して第２のアッパー部材から分離するように第３のアッパー部材を配設し、第３のアッパー部材の前端縁部を、第３のアッパー部材と別個に設けられた第１のアッパー部材の後端縁部の上にオーバラップさせるとともに、足の蹴り出し動作にともなうアッパーの屈曲時に、第３のアッパー部材の前端縁部を第１のアッパー部材の上でスライドさせると同時に、第１のアッパー部材の後端縁部を第３のアッパー部材の下でスライドさせるようにしたので、足の蹴り出し動作時にアッパー外甲側の屈曲部分に生じるアッパーの皺や弛みを両アッパー部材のスライド移動によって吸収でき、これにより、アッパーの屈曲をスムーズに行うことができ、アッパーの屈曲性を向上できる効果がある。
【００６３】
本発明の第３の発明に係るシューズ用アッパー構造によれば、シューズの前足部領域および内甲側領域にそれぞれ第１、第２のアッパー部材を配設し、シューズの外甲側領域に、足甲部の開口部を介して第２のアッパー部材から分離するように第３のアッパー部材を配設し、第２のアッパー部材の前端縁部を、第２のアッパー部材と別個に設けられた第１のアッパー部材の後端縁部の上にオーバラップさせ、かつ第３のアッパー部材の前端縁部を、第３のアッパー部材と別個に設けられた第１のアッパー部材の後端縁部の上にオーバラップさせるとともに、足の蹴り出し動作にともなうアッパーの屈曲時に、第２のアッパー部材の前端縁部を第１のアッパー部材の上でスライドさせると同時に、第１のアッパー部材の後端縁部を第２のアッパー部材の下でスライドさせ、第３のアッパー部材の前端縁部を第１のアッパー部材の上でスライドさせると同時に、第１のアッパー部材の後端縁部を第３のアッパー部材の下でスライドさせるようにしたので、足の蹴り出し動作時にアッパー内甲側の屈曲部分に生じるアッパーの皺や弛みを第１、第２のアッパー部材のスライド移動によって吸収できるとともに、アッパー外甲側の屈曲部分に生じるアッパーの皺や弛みを第１、第３のアッパー部材のスライド移動によって吸収でき、これにより、アッパーの屈曲をよりスムーズに行うことができ、アッパーの屈曲性を一層向上できる効果がある。
【図面の簡単な説明】
【００６４】
【図１】本発明の一実施例によるアッパー構造を採用したテニスシューズの内甲側側面図である。
【図２】図１において第２のアッパー部材を開いた状態を示す内甲側側面図である。
【図３】第２および第４のアッパー部材の前端縁部の位置を示すための平面概略図である。
【図４】着用者の足の蹴り出し動作にともなうアッパーの屈曲状態の変化を説明するための図である。
【図５】着用者の足の蹴り出し動作にともなうアッパーの屈曲状態の変化を説明するための図である。
【図６】本発明の別の実施例によるアッパー構造を採用したテニスシューズの前面側斜視図である。
【図７】摩擦感テスターの正面図である。
【図８】本発明のさらに別の実施例によるアッパー構造を採用したテニスシューズの内甲側側面部分図であって、第２のアッパー部材の一部を開いた状態を示している。
【図９】本発明のさらに別の実施例によるアッパー構造を採用したテニスシューズの内甲側側面部分図であって、第２のアッパー部材を閉じた状態を示している。
【発明を実施するための形態】
【００６５】
以下、本発明の実施例を添付図面に基づいて説明する。
図１ないし図５は、本発明の一実施例によるアッパー構造を説明するための図であって、これらの図において、同一符号は同一または相当部分を示している。
【００６６】
図１および図２に示すように、シューズ１は、ソール２と、ソール２の上に設けられるとともに、その下部がソール２に固着される、着用者の足Ｐを覆うアッパー３とを備えている。
【００６７】
アッパー３は、シューズ１の内甲側の前足部領域Ｆに配設された第１のアッパー部材３０と、シューズ１の内甲側の後足部領域Ｒから前足部領域Ｆの後部にかけて配設された第２のアッパー部材３１とを有している。第２のアッパー部材３１の前端縁部３１ａは、第１のアッパー部材３０の後端縁部３０ａの上にオーバラップして配置されている（図２参照）。
【００６８】
着用者の足の蹴り出し動作にともなうアッパー３の屈曲時には、第２のアッパー部材３１の前端縁部３１ａが第１のアッパー部材３０の上を（つまり表面に沿って）前後方向にスライドすると同時に、第１のアッパー部材３０の後端縁部３０ａが第２のアッパー部材３１の下を（つまり裏面に沿って）前後方向にスライドするようになっている。
【００６９】
第２のアッパー部材３１の前端縁部３１ａにおける最下点Ａの位置は、図３におけるシューズ内甲側部分に示すように、着用者の足の内甲側における中足趾節関節ＭＪの位置に対応している。ここで、中足趾節関節ＭＪとは、足の第１〜第５趾にかけて各足指の基節骨ＰＰの骨底および中足骨ＭＴの骨頭間の関節を指している（図３参照）。より詳細には、第２のアッパー部材３１の前端縁部３１ａの最下点Ａの位置は、シューズサイズ長をＬとするとき、踵後端からＬ１＝（０．７４±０．０５）×Ｌの位置に配置されている。ここで、起点となる踵後端の位置とは、アッパー内壁面３ｉにおける踵後端の位置を指している。なお、この値は、５００人を超える競技者について足の屈曲位置を実測した集計結果に基づいて算出されている。
【００７０】
好ましくは、第１および第２のアッパー部材３０、３１のオーバラップ部分（図２斜線領域参照）には、摩擦係数の低い素材が設けられている。このような低μ素材としては、たとえば、ＰＴＦＥ（ポリテトラフルオロエチレン）等のフッ素樹脂やポリエチレン樹脂、シリコン、窒化ホウ素などをコーティングや接着、含浸によりアッパー面に設けることが考えられる。あるいは、これらＰＴＦＥ（ポリテトラフルオロエチレン）等の低μ素材をシート状にしたものをアッパー面に縫い付けるようにしてもよい。
【００７１】
図２に示す例では、第１、第２のアッパー部材３０、３１のオーバラップ部分のうち、第１のアッパー部材３０の表面に低μ領域を設けた例を示したが、このような低μ領域は第２のアッパー部材３１の裏面に設けるようにしてもよい。あるいは、第１のアッパー部材３０の表面および第２のアッパー部材３１の裏面の双方に低μ領域を設けるようにしてもよい。この場合には、アッパー３の屈曲時に第１、第２のアッパー部材３０、３１が前後方向に相互にスライド移動する際に、各アッパー部材３０、３１の他のアッパー部材３１、３０に沿った移動をよりスムーズに行えるようになって、アッパー３の屈曲性を向上できる。
【００７２】
第２のアッパー部材３１の前端部には、耐摩耗材３２が設けられている。この耐摩耗材３２は、第２のアッパー部材３１よりも硬度の高い、または第２のアッパー部材３１と同等硬度の人工皮革やナイロン、ラバー、ウレタン等からシート状に成形された小片パーツを第２のアッパー部材３１の前端部の上に接着または縫合等することによって設けられている。あるいは、ナイロン、ラバー、ウレタン等の素材で第２のアッパー部材３１の前端部をコーティングするようにしてもよい。
【００７３】
シューズ１の足甲部に沿って形成された前後方向の開口には、舌革部３３が設けられている。舌革部３３の前端は、第１のアッパー部材３０の爪先部分に固着されている。また、第２のアッパー部材３１の上端縁部には、複数の鳩目３１ｂが形成されており、これらの鳩目３１ｂには、靴紐３８が挿入されている。
【００７４】
次に、本実施例の作用効果について、図１、図４および図５を用いて説明する。
図１に示すようなソール全面接地の状態から、図４に示すような足の蹴り出し動作への移行にともなって、アッパー３が屈曲するにつれて、第２のアッパー部材３１の前端縁部３１ａがつま先側に向かって前方に移動して、第１のアッパー部材３０とのオーバラップ量が増える。図５に示すように、アッパー３がさらに屈曲すると、第２のアッパー部材３１の前端縁部３１ａがつま先側に向かってさらに前方に移動して、第１のアッパー部材３０とのオーバラップ量がさらに増える。
【００７５】
アッパー３の屈曲時には、第２のアッパー部材３１の前端縁部３１ａは、第１のアッパー部材３０の上を、つまり第１のアッパー部材３０の表面に沿って、スライドすると同時に、第１のアッパー部材３０の後端縁部３０ａは、第２のアッパー部材３１の下を、つまり第２のアッパー部材３１の裏面に沿って、スライドする。
【００７６】
これにより、足の蹴り出し動作時にアッパー内甲側の屈曲部分に生じるアッパー３の皺や弛みを、両アッパー部材３０、３１が相互にスライド移動することによって吸収でき、その結果、アッパー３の屈曲をスムーズに行うことができ、アッパー３の屈曲性を向上できる。
【００７７】
しかも、この場合には、第２のアッパー部材３１の前端縁部３１ａにおける最下点Ａの位置が、着用者の足の内甲側における中足趾節関節ＭＪの位置に対応している。足の蹴り出し動作の際の足の屈曲時には、足は中足趾節関節ＭＪで屈曲することになるため、第２のアッパー部材３１の前端縁部３１ａの最下点Ａを足の内甲側の中足趾節関節ＭＪ位置に配置することで、足の屈曲に応じてアッパー３がスムーズに屈曲できるようになり、これにより、アッパーの屈曲性を効果的に向上できる。なお、足の内甲側の中足趾節関節ＭＪの位置は、シューズサイズ長をＬとするとき、踵後端から（０．７４±０．０５）×Ｌの位置と表すことが可能である。
【００７８】
また、この場合には、第１、第２のアッパー部材３０、３１のオーバラップ部分に、低μ素材が設けられているので、アッパー屈曲時に第１、第２のアッパー部材３０、３１が前後方向に相互にスライド移動する際に、各アッパー部材３０、３１の他のアッパー部材３１、３０に沿った移動をスムーズに行えるようになって、アッパー３の屈曲性を向上できる。
【００７９】
さらに、この場合には、第２のアッパー部材３１の前端部３１ａに耐摩耗材３２が設けられているので、アッパー内甲側の耐摩耗性を向上できる。テニスシューズの場合、競技中にアッパー内甲側表面がコート面と接触して摩耗するが、従来のアッパー一体型シューズのアッパーに耐摩耗材を設けた場合には、耐摩耗材が一般に硬い素材で構成されまた耐摩耗材を設けることでアッパーの厚みが増すため、アッパーの屈曲性が阻害される。これに対して、本実施例によるアッパー構造では、アッパー３の屈曲性は、第２のアッパー部材３１が第１のアッパー部材３０の上をスライド移動することにより実現されるので、第２のアッパー部材３１に耐摩耗材を設けることで、アッパー３の屈曲性が阻害されることはない。これにより、本実施例のアッパー構造では、耐摩耗性および屈曲性の双方を両立させることが可能である。
【００８０】
前記実施例では、シューズの内甲側において、相互にスライド移動可能な２つのアッパー部材を互いにオーバラップして設けた例を示したが、本発明の適用はこれに限定されない。
【００８１】
図３の概略図においてシューズ外甲側部分に示すように、シューズ１の外甲側の前足部領域Ｆに配設された第１のアッパー部材３４と、シューズ１の外甲側の後足部領域Ｒから前足部領域Ｆの後部にかけて配設された第３のアッパー部材３５とからシューズ外甲側のアッパー３を構成するようにしてもよい。第３のアッパー部材３５の前端縁部３５ａは、第１のアッパー部材３４の後端縁部（図示せず）の上にオーバラップして配置されている。
【００８２】
この場合、着用者の足の蹴り出し動作にともなうアッパー屈曲時には、第３のアッパー部材３５の前端縁部３５ａが第１のアッパー部材３４の上を（つまり表面に沿って）前後方向にスライドすると同時に、第１のアッパー部材３４の後端縁部が第３のアッパー部材３５の下を（つまり裏面に沿って）前後方向にスライドするようになっている。
【００８３】
第３のアッパー部材３５の前端縁部３５ａにおける最下点Ｂの位置は、着用者の足の外甲側における中足趾節関節ＭＪの位置に対応している。より詳細には、第３のアッパー部材３５の前端縁部３５ａの最下点Ｂの位置は、シューズサイズ長をＬとするとき、踵後端からＬ２＝（０．６４±０．０５）×Ｌの位置に配置されている。ここで、起点となる踵後端の位置とは、アッパー内壁面３ｉにおける踵後端の位置を指している。なお、この値は、５００人を超える競技者について足の屈曲位置を実測した集計結果に基づいて算出されている。
【００８４】
図示していないが、前記実施例と同様に、第１および第３のアッパー部材３４、３５のオーバラップ部分には、摩擦係数の低い素材が設けられている。また、この低μ領域は、第１、第３のアッパー部材３４、３５のオーバラップ部分のうち、第１のアッパー部材３４の表面、または第３のアッパー部材３５の裏面、あるいはこれらの双方に設けられる。この場合には、アッパー屈曲時に第１、第３のアッパー部材３４、３５が前後方向に相互にスライド移動する際に、各アッパー部材３４、３５の他のアッパー部材３５、３４に沿った移動をよりスムーズに行えるようになって、アッパー３の屈曲性を向上できる。
【００８５】
この場合においても、前記実施例と同様に、ソール全面接地の状態（図１参照）から、足の蹴り出し動作への移行（図４および図５参照）にともなって、アッパー３が屈曲するにつれて、第３のアッパー部材３５の前端縁部３５ａがつま先側に向かって前方に移動して、第１のアッパー部材３４とのオーバラップ量が増える。
【００８６】
アッパー３の屈曲時には、第３のアッパー部材３５の前端縁部３５ａは、第１のアッパー部材３４の上を、つまり第１のアッパー部材３４の表面に沿って、スライドすると同時に、第１のアッパー部材３４の後端縁部は、第３のアッパー部材３５の下を、つまり第３のアッパー部材３５の裏面に沿って、スライドする。
【００８７】
これにより、足の蹴り出し動作時にアッパー外甲側の屈曲部分に生じるアッパー３の皺や弛みを、両アッパー部材３４、３５が相互にスライド移動することによって吸収でき、その結果、アッパー３の屈曲をスムーズに行うことができ、アッパー３の屈曲性を向上できる。
【００８８】
しかも、この場合には、第３のアッパー部材３５の前端縁部３５ａにおける最下点Ｂの位置が、着用者の足の外甲側における中足趾節関節ＭＪの位置に対応している。足の蹴り出し動作の際の足の屈曲時には、足は中足趾節関節ＭＪで屈曲することになるため、第３のアッパー部材３５の前端縁部３５ａの最下点Ｂを足の外甲側の中足趾節関節ＭＪ位置に配置することで、足の屈曲に応じてアッパー３がスムーズに屈曲できるようになり、これにより、アッパーの屈曲性を効果的に向上できる。なお、足の外甲側の中足趾節関節ＭＪの位置は、シューズサイズ長をＬとするとき、踵後端から（０．６４±０．０５）×Ｌの位置と表すことが可能である。
【００８９】
また、この場合には、第１、第３のアッパー部材３４、３５のオーバラップ部分に、低μ素材が設けられているので、アッパー屈曲時に第１、第３のアッパー部材３４、３５が前後方向に相互にスライド移動する際に、各アッパー部材３４、３５の他のアッパー部材３５、３４に沿った移動をスムーズに行えるようになって、アッパー３の屈曲性を向上できる。
【００９０】
前記各実施例では、シューズ１の内甲側または外甲側のいずれか一方に、相互スライド移動可能な２つのアッパー部材をオーバラップして設けた例を示したが、本発明の適用はこれらには限定されない。本発明は、シューズ１の内甲側および外甲側の双方に、相互スライド移動可能な２つのアッパー部材をそれぞれオーバラップして設けた場合にも適用できる（図３参照）。
【００９１】
なお、図３に示す例では、第１のアッパー部材３４は、つま先部を介して第１のアッパー部材３０と一体に形成されており、第３のアッパー部材３５は、踵部を介して第２のアッパー部材３１と一体に形成されている。
【００９２】
この場合、足の蹴り出し動作にともなうアッパーの屈曲時には、シューズ内甲側の第２のアッパー部材３１の前端縁部３１ａが第１のアッパー部材３０の上を（つまり表面に沿って）スライドしかつ第１のアッパー部材３０の後端縁部３０ａが第２のアッパー部材３１の下を（つまり裏面に沿って）スライドするとともに、シューズ外甲側の第３のアッパー部材３５の前端縁部３５ａが第１のアッパー部材３４の上を（つまり表面に沿って）スライドしかつ第１のアッパー部材３４の後端縁部が第３のアッパー部材３５の下を（つまり裏面に沿って）スライドする。
【００９３】
これにより、足の蹴り出し動作時にアッパー内甲側の屈曲部分に生じるアッパーの皺や弛みを第１、第２のアッパー部材３０、３１のスライド移動によって吸収できるとともに、アッパー外甲側の屈曲部分に生じるアッパーの皺や弛みを第１、第３のアッパー部材３４、３５のスライド移動によって吸収できる。その結果、アッパー３の屈曲をよりスムーズに行うことができ、アッパー３の屈曲性を一層向上できる。
【００９４】
また、第２のアッパー部材３１の前端縁部３１ａにおける最下点Ａの位置は、着用者の足の内甲側における中足趾節関節ＭＪの位置に対応しており、第３のアッパー部材３５の前端縁部３５ａにおける最下点Ｂの位置は、着用者の足の外甲側における中足趾節関節ＭＪの位置に対応している。
【００９５】
これにより、足の蹴り出し動作の際の足の屈曲時には、足が中足趾節関節ＭＪで屈曲することになるため、第２のアッパー部材３１の前端縁部３１ａの最下点Ａを足の内甲側の中足趾節関節ＭＪの位置に配置しかつ第３のアッパー部材３５の前端縁部３５ａの最下点Ｂを足の外甲側の中足趾節関節ＭＪの位置に配置することで、足の屈曲に応じてアッパー３がよりスムーズに屈曲できるようになり、これにより、アッパー３の屈曲性を一層効果的に向上できる。
【００９６】
第２のアッパー部材３１の前端縁部３１ａにおける最下点Ａは、シューズサイズ長Ｌに対して踵後端から（０．７４±０．０５）×Ｌの位置に配置されるとともに、第３のアッパー部材３５の前端縁部３５ａにおける最下点Ｂは、シューズサイズ長Ｌに対して踵後端から（０．６４±０．０５）×Ｌの位置に配置されている。第２のアッパー部材３１の最下点Ａの位置は、足の内甲側における中足趾節関節ＭＪの位置に対応しており、第３のアッパー部材３５の最下点Ｂの位置は、足の外甲側における中足趾節関節の位置に対応している。
【００９７】
第１および第２のアッパー部材３０、３１のオーバラップ部分、ならびに第１および第３のアッパー部材３４、３５のオーバラップ部分には、摩擦係数の低い素材が設けられている。
【００９８】
この場合には、足の蹴り出し動作にともなうアッパーの屈曲時に、第１および第２のアッパー部材３０、３１の相互のスライド移動、ならびに第１および第３のアッパー部材３４、３５の相互のスライド移動をよりスムーズに行えるようになって、アッパーの屈曲性をさらに向上できる。
【００９９】
さらに、第２のアッパー部材３３の前端部３１ａに耐摩耗材が設けられている。
【０１００】
この場合には、たとえばテニスシューズやバドミントンシューズなどのように、競技中にアッパーの内甲側表面がコート面と接触して摩耗するシューズにおいて、アッパー内甲側の耐摩耗性および屈曲性の双方を両立できる。また、この場合、第２のアッパー部材３１が第１のアッパー部材３０の上をスライド移動するとともに、第３のアッパー部材３５が第１のアッパー部材３４の上をスライド移動することによりアッパーの屈曲性が実現されているので、第２のアッパー部材３１に耐摩耗材を設けることで、アッパーの屈曲性が阻害されることはない。
【０１０１】
なお、前記各実施例では、第２のアッパー部材３１の前端縁部３１ａおよび第３のアッパー部材３５の前端縁部３５ａをいずれも平坦状に形成してその最下点Ａ、Ｂをそのままソール２に固着した例を示したが、これら前側縁部３１ａ、３５ａは、最下点Ａ、Ｂにおいて、第１のアッパー部材３０、３４の側に曲率中心を有する小円弧形状を有してもよい。この場合、アッパー３の屈曲時に第２のアッパー部材３１の最下点Ａおよび第４のアッパー部材３５の最下点Ｂに生じる応力集中を緩和でき、これら最下点Ａ、Ｂで第２、第３のアッパー部材３１、３５に亀裂が生じるのを防止できる。
【０１０２】
次に、図６は、本発明の別の実施例によるシューズの前面側斜視図である。この例では、シューズ１の内甲側において第１、第２のアッパー部材３０、３１間のオーバラップ部分に第１の袋布部材４が設けられている。第１の袋布部材４は、たとえば扇状の布地、織物、人工皮革またはフィルム等であって、その一端４０が第１のアッパー部材３０の表面に固着され、他端４１が第２のアッパー部材３１の裏面側の前端縁部３１ａまたはその近傍に固着されるとともに、袋状に折り畳まれた状態で第１、第２のアッパー部材３０、３１間のオーバラップ部分に収容されている。また、第１の袋布部材４には、靴紐３８を通すための開孔４２が形成されている。なお、図６では、第２のアッパー部材３１を開いて内部を見せた状態を示しており、通常の状態では、図１に示すように、第１の袋布部材４は、第２のアッパー部材３１で覆われていて、外部からは見えないようになっている。
【０１０３】
第１の袋布部材４は、摩擦抵抗が小さい素材から構成されているのが好ましい。これは、アッパーの屈曲時に第１の袋布部材４同士が擦れ合う際の摩擦抵抗を低減させるためである。具体的には、カトーテック株式会社製の摩擦感テスター（KES-SE）を用いた肌摩擦試験において、摩擦抵抗が０．６未満の素材が好ましい。その根拠は後述する。
【０１０４】
摩擦感テスターは、図７に示すような装置であって、試料台の上に取り付けられた試験片の上を摩擦子が接触しつつ移動する（つまりドラッグする）際の摩擦力をロードセル（力計）により測定して平均摩擦抵抗を算出する試験機である。なお、摩擦子には、分銅により荷重が加えられようになっている。
【０１０５】
表１は、摩擦感テスターを用いて種々の試験片の摩擦抵抗を求めた結果を示している。
【表１】
0004474485.tif 000002
【０１０６】
ここでは、４種類の素材を用意して、これらの素材から６種類の試験片I〜VIを作成した。各試験片I〜VIの組成は以下のとおりである。
I   …ポリエステル織物（素材本体）＋ポリウレタンコーティグ（表面）
II  …天然皮革（素材本体）＋ラバーコーティング（表面）
III …ポリエステル織物（表面）
IV  …ポリエステル織物（裏面）
V   …ポリエステル編物（表面）
VI  …ポリエステル編物（裏面）
表１中において、試験片I、IIについてはいずれもコーティング面（つまり表面）の摩擦抵抗を、試験片III、Vについてはポリエステル織物またはポリエステル編物のいずれも表面の摩擦抵抗を、試験片IV、VIについてはポリエステル織物またはポリエステル編物のいずれも裏面の摩擦抵抗をそれぞれ示している。また、摩擦子に２５（ｇ）の荷重を作用させた場合と、５０（ｇ）の荷重を作用させた場合とのそれぞれについて各試験片I〜VIの摩擦抵抗を求めた。
【０１０７】
次に、第１の袋布部材４として、上記試験片I〜VIと同様の組成からなる６種類のものを用意して、これらをそれぞれシューズに取り付けることにより、６種類のシューズを用意した。そして、５人の被験者に各シューズを着用させて、停止状態から走り出す動作をそれぞれのシューズについて５回ずつ行なってもらい、そのとき、アッパーの屈曲部分に違和感を感じるか否かの官能評価試験を行なった。その結果、過半数の被験者が、試験片IIの組成のものに関して違和感を感じると回答した。
【０１０８】
表１より、試験片IIの摩擦係数は０．６を超えており、その他の試験片の摩擦係数は０．６より小さいことから、上記官能評価試験の結果を踏まえると、第１の袋布部材４の摩擦抵抗の値としては、０．６未満が好ましいと判断される。
【０１０９】
この実施例によれば、足の蹴り出し動作にともなうアッパー３の屈曲時において、第２のアッパー部材３１の前端縁部３１ａが前方に移動する際には、第１、第２のアッパー部材３０、３１のオーバラップ部分に配設された第１の袋布部材４同士が擦れ合う。このとき、第１の袋布部材４が摩擦抵抗の小さい素材から構成されているので、第１の袋布部材４同士は円滑に摺動し、これにより、第２のアッパー部材３１の前端縁部３１ａの前方への移動をスムーズに行なえ、その結果、アッパー３の屈曲性を向上できる。
【０１１０】
しかも、この場合には、第１、第２のアッパー部材３０、３１のオーバラップ部分に第１の袋布部材４が配設されていることで、当該オーバラップ部分において第１、第２のアッパー部材３０、３１間の間隙が第１の袋布部材４により遮蔽されているので、当該間隙を通って砂や小石等の異物がシューズ内部に侵入するのをこの第１の袋布部材４により防止できる。さらに、アッパー３が屈曲する際にも、第１の袋布部材４の端部４１が第２のアッパー部材３１の前端縁部３１ａに連結されていることで、第１の袋布部材４が第２のアッパー部材３１の前端縁部３１ａの動きに追随するので、競技中においてアッパー３の屈曲時に砂や小石等の異物が第１、第２のアッパー部材３０、３１間の間隙を通ってシューズ内部に侵入するのをこの第１の袋布部材４により防止できる。
【０１１１】
また、第１の袋布部材４が第１、第２のアッパー部材３０、３１間で袋状に配設されており、第１の袋布部材４に弛みが設けられていることで、アッパー３の屈曲動作の際には、第１の袋布部材が第１、第２のアッパー部材３０、３１の動きに追随し、これにより、第１、第２のアッパー部材３０、３１のスライド移動を第１の袋布部材４が阻害することはなく、アッパー３の屈曲性を維持できる。
【０１１２】
なお、図６では、シューズの内甲側にのみ第１の袋布部材４を設けた例を示したが、本発明は、シューズの外甲側にのみ第２の袋布部材を設けるようにしてもよい。この場合、第２の袋布部材の一端は、第１のアッパー部材３４に固着され、他端は、第３のアッパー部材３５の前端縁部３５ａに固着されている（図３参照）。
【０１１３】
この場合には、足の蹴り出し動作にともなうアッパー３の屈曲時において、第３のアッパー部材３５の前端縁部３５ａが前方に移動する際には、第１、第３のアッパー部材３４、３５のオーバラップ部分に配設された第２の袋布部材同士が擦れ合う。このとき、第２の袋布部材を第１の袋布部材４と同様に摩擦抵抗の小さい素材から構成することにより、第２の袋布部材同士は円滑に摺動し、これにより、第３のアッパー部材３５の前端縁部３５ａの前方への移動をスムーズに行なえ、その結果、アッパー３の屈曲性を向上できる。
【０１１４】
しかも、この場合、第１、第３のアッパー部材３４、３５のオーバラップ部分に第２の袋布部材が配設されていることで、当該オーバラップ部分において第１、第３のアッパー部材３４、３５間の間隙が第２の袋布部材により遮蔽されているので、当該間隙を通って砂や小石等の異物がシューズ内部に侵入するのをこの第２の袋布部材により防止できる。さらに、アッパー３が屈曲する際にも、第２の袋布部材の端部が第３のアッパー部材３５の前端縁部３５ａに連結されていることで、第２の袋布部材が第３のアッパー部材３５の前端縁部３５ａの動きに追随するので、競技中においてアッパー３の屈曲時に砂や小石等の異物が第１、第３のアッパー部材３４、３５間の間隙を通ってシューズ内部に侵入するのをこの第２の袋布部材により防止できる。
【０１１５】
また、第２の袋布部材が第１、第３のアッパー部材３４、３５間で袋状に配設されており、第２の袋布部材に弛みが設けられていることで、アッパー３の屈曲動作の際には、第２の袋布部材が第１、第３のアッパー部材３４、３５の動きに追随し、これにより、第１、第３のアッパー部材３４、３５のスライド移動を第２の袋布部材が阻害することはなく、アッパー３の屈曲性を維持できる。
【０１１６】
なお、シューズの内甲側および外甲側双方にそれぞれ第１、第２の袋布部材を設けるようにしてもよい。
【０１１７】
次に、図８および図９は、本発明のさらに別の実施例によるシューズの内甲側側面部分図である。この例では、第２のアッパー部材３１のハトメ孔３１ｂのうちの最前端のハトメ孔３１ｂに対応する第１のアッパー部材３０のハトメ孔３０ｂ’が、実質的に足長方向に延びる長孔になっている。各ハトメ孔３１ｂおよび３０ｂ’には靴紐３８（図１参照）が挿通している。
【０１１８】
この場合には、ハトメ孔３０ｂ’が長孔であることによって、靴紐３８の締結後に第１、第２のアッパー部材３０、３１間で靴紐３８が前後方向に若干量動き得るようになっている。このため、着用者の足の蹴り出し動作にともなうアッパー３の屈曲時に、第２のアッパー部材３１の前端縁部３１ａが前方にスライド移動するとき（図９一点鎖線参照）、靴紐３８が第２のアッパー部材３１の前端縁部３１ａのスライド移動をある程度許容しており、これにより、靴紐３８が第２のアッパー部材３１の前端縁部３１ａのスライド移動を規制するのを防止できる。
【０１１９】
なお、第２のアッパー部材３１の前端縁部３１ａが前方にスライド移動する際には、第２のアッパー部材３１の前端縁部３１ａは、その最下点Ａの位置を中心として前方に回動すると考えて実質的に差し支えない（図９一点鎖線参照）。したがって、ハトメ孔３０ｂ’の形成方向としては、上述した足長方向ではなく、点Ａを中心とする円弧ｍに沿う方向にするようにしてもよい。
【０１２０】
また、前記各実施例では、テニスシューズを例にとって説明したが、本発明は、バドミントンシューズ、バレーボールシューズ、バスケットボールシューズ、ハンドボールシューズ等のその他のスポーツシューズにも適用可能である。また、ランニングシューズやマラソンシューズの他、サッカーシューズ、野球シューズにも適用可能である。
【産業上の利用可能性】
【０１２１】
本発明は、シューズのアッパー構造に好適であり、とくにシューズのアッパーの屈曲性を要求されるものに適している。
【符号の説明】
【０１２２】
１：  シューズ
３：  アッパー
３０、３４：  第１のアッパー部材
３０ａ：  後端縁部
３１：  第２のアッパー部材
３１ａ：  前端縁部
３２：  耐摩耗材
３５：  第３のアッパー部材
３５ａ：  前端縁部
Ａ：  最下点の位置
Ｌ：  シューズの表示サイズ長
Ｒ：  後足部
Ｆ：  前足部
【先行技術文献】
【特許文献】
【０１２３】
【特許文献１】特表昭６１−５０１６１２号公報（ＦＩＧ．１参照）
【特許文献２】特開平２−２７７４０５号公報（ＦＩＧ．１参照）
【特許文献３】国際公開第２００４/０９３５８７号パンフレット（図５および図６参照）
【図１】
0004474485.tif 000003
【図２】
0004474485.tif 000004
【図３】
0004474485.tif 000005
【図４】
0004474485.tif 000006
【図５】
0004474485.tif 000007
【図６】
0004474485.tif 000008
【図７】
0004474485.tif 000009
【図８】
0004474485.tif 000010
【図９】
0004474485.tif 000011